(57)【特許請求の範囲】
【請求項１】
光感受性製品のための容器であって、
容器の内面を画定する内側層と、
容器の外面を画定する外側層と、
内側層と外側層との間に配置されたリグラインド層とを備え、
リグラインド層、外側層および内側層のそれぞれが、二酸化チタンおよび酸化鉄を含み、
容器で使用される二酸化チタンの総量が、５重量パーセント未満である、前記容器。
【請求項２】
内側層が、エチレンポリプロピレンコポリマーを備える、請求項１に記載の容器。
【請求項３】
外側層が、エチレンポリプロピレンコポリマーを備える、請求項１に記載の容器。
【請求項４】
内側層および外側層が、同一のエチレンポリプロピレンコポリマーを含む、請求項１に記載の容器。
【請求項５】
光感受性製品のための容器であって、
容器の内面を画定する内側層と、
容器の外面を画定し、内部表面を有する外側層と、
前記内側層と前記外側層との間に配置され、外部表面を有するリグラインド層と、
前記リグラインド層の前記外部表面に隣接して配置された第１の接着層と、
前記外側層の前記内部表面に隣接して配置された第２の接着層と、
前記第１の接着層と前記第２の接着層との間に配置された酸素遮蔽層とを備え、前記第１および第２の接着層が、前記酸素遮蔽層を前記リグラインド層および前記外側層にそれぞれ接合するように構成され、
前記内側層が、二酸化チタンおよび酸化鉄を含み、
前記外側層が、二酸化チタンおよび酸化鉄を含み、
前記リグラインド層が、二酸化チタンおよび酸化鉄を含み、
容器で使用される二酸化チタンの総量が、５重量パーセント未満である、前記容器。
【請求項６】
内側層が、二酸化チタンおよび酸化鉄を含む、請求項５に記載の容器。
【請求項７】
二酸化チタンおよび酸化鉄が、レトルト容器を形成するために、共通の溶融可能な樹脂ペレットで共に提供され、押出しブロー成形される、請求項５に記載の容器。
【請求項８】
内側層および外側層が、同一のエチレンポリプロピレンコポリマーを含む、請求項５に記載の容器。
【請求項９】
酸素遮蔽層が、エチレンビニルアルコールを備える材料から構成される、請求項５に記載の容器。
【請求項１０】
レトルト処理可能なプラスチックビンであって、
側壁、底壁、および開いた上部を画定する多層材料を備え、
多層材料が、ビンの内面を画定する内側層、ビンの外面を画定する外側層、および内側層と外側層との間に配置されたリグラインド層を備え、リグラインド層および外側層および内側層が、二酸化チタンおよび酸化鉄を含み、ビンで使用される二酸化チタンの総量が、５重量パーセント未満であり、
側壁が、凸状のドーム形状を有し、キャップによって密封されるように構成された終端部の上端部を終端とする上側部分と、底壁と接合された下側部分と、上側部分と下側部分との間に配置された中間部分とを備え、
側壁の中間部分が、円弧状の環状の把持溝を画定し、
下側部分が、上端部および下端部で実質的に円筒形であり、パネル構造体を実質的に円筒形の上端部と下端部との間に含み、該パネル構造体は、それぞれ円弧状の横方向断面を有する対応する複数の長手方向のビーム部材によって分離された、複数の鉛直方向に細長い矩形のくぼみを備える、前記レトルト処理可能なプラスチックビン。
【請求項１１】
矩形のくぼみそれぞれが、鉛直方向に細長いほぼ矩形の底面、反対側の内向きに傾斜した側壁、および反対側の内向きに傾斜した端壁を有する、中央に配置された隆起した島部を含む、請求項１０に記載のレトルト処理可能なプラスチックビン。
【請求項１２】
把持溝が、０．３インチ〜０．５インチ（７．６２ｍｍ〜１２．７０ｍｍ）の半径を有する、請求項１０に記載のレトルト処理可能なプラスチックビン。
【請求項１３】
把持溝が、０．３２８インチ（８．３３ｍｍ）の半径を有する、請求項１２に記載のレトルト処理可能なプラスチックビン。
【発明の詳細な説明】
【技術分野】
【０００１】
本発明は、一般に容器の分野に関し、より具体的には、光感受性の低酸性液体栄養製品とともに使用するためのレトルト遮光プラスチック容器に関する。
【背景技術】
【０００２】
低酸性の食品製品は、一般に、光および温度感受性である栄養素を含んでいる。このような液体食品の例は、幼児用の栄養製品、および特定の医療条件または食餌療法の必要性を有する人のための栄養製品である。本明細書および特許請求の範囲で使用されるとき、「低酸性の液体栄養製品」は、４．６よりも大きい最終平衡ｐＨを有する、アルコール飲料以外の液体栄養製品である。果汁などの高酸性の栄養製品は、調理され、その後、無菌の充填エンクロージャ内で滅菌容器内に「加熱充填」されることができるが、低酸性の液体栄養製品は、滅菌容器内に配置され、密封され、その後従来の加熱加圧レトルトプロセスを使用して商業的に滅菌されなければならない。この充填後の加圧加熱滅菌は、摂氏約１２０度〜１３０度（℃）、すなわち華氏約２４８度〜２６６度（°Ｆ）の温度範囲で、バッチモードでしばしば行われる。しかし、レトルト中の高温への長すぎる曝露および光への長すぎる曝露は、製品中の栄養素の生物学的な活性に対する損傷を結果として生じさせることがある。
【０００３】
たとえば、低酸性の液体栄養製品は、光に対して感受性である、ビタミンＢ２（リボフラビン）およびビタミンＡなどのビタミンを含む栄養素を通常含んでいるが、それらに限定されない。このような食品製品の光への曝露は、これらの栄養素の生物学的な活性への損傷だけでなく、製品の味またはその他の特徴の損傷を結果として生じさせることがある。このことは、このような製品が、たとえば食品製品のビタミン内容物などの栄養素内容物が特に識別されることを必要とする標示要件を有するため、医療用および小児用栄養食品を含む食品製品の包装での特定の課題を示している。列挙された栄養素内容物が光に対して感受性である場合、光への曝露のため時間にわたる食品の１つまたは複数の栄養素内容物の量または活性における減少があり、それによって食品製品が、その標示と整合しないようになるかもしれない。このような状況では、食品製品の保管寿命を短縮することが必要であるかもしれず、したがって食品製品のコストを増加させる。別法として、例えばビタミン強化（ｆｏｒｔｉｆｉｃａｔｉｏｎ）などを用いて、製品の栄養素内容物の量を増加させることが必要であるかもしれないが、このことも製品のコストを増加させる。製品の栄養素内容物が、標示で指定された範囲内に留まるように、耐光性のパッケージが提供され、それによって製品のより長い保管寿命を提供することが好ましい。
【０００４】
金属製の缶は、従来、必要とされる不透明性、ビタミン保護、および密封性を提供するために、低酸性の液体栄養製品を中に入れるための好ましい手段であった。しかし、金属製の缶は、通常再密封可能でなく、それらの重量が輸送コストを追加する。金属製の缶は、弾性的に変形可能でなく、顧客は、内容物が実際には無傷であるときでさえも、へこんだ金属缶が、製造業者に戻されるべき「不良品」を示すものと認識する。ある製造業者は、比較的単純な円筒形形状のプラスチック缶を試みたが、このような缶は、レトルトプロセスの結果としてしばしば変形する。上記で議論した顧客の認識の問題に加えて、恒久的なプラスチック容器の変形および結果としての形状の変化は、しばしばかなり自動化されている、後の包装作業中での製造業者の取扱いの問題に至る。
【０００５】
Ｍａｃａｕｌｅｙ他に対する米国特許第５７５０２２６号は、その中に入れられている光感受性の製品に対する保護を提供するように構成されたビンを開示している。米国特許第５７５０２２６号は、その全体が参照によって本明細書に組み込まれる。Ｍａｃａｕｌｅｙ他は、多層の壁構造を有するビンを開示している。壁は、食品用ポリプロピレンの内側層および外側層と、食品用ポリプロピレンの内側層と外側層との間に配置されたリグラインド（ｒｉｇｒｉｎｄ）層と、１対の高温接着層とを備える。壁はさらに、酸素遮蔽層を備える。接着層は、他の層を遮蔽層と接合する働きをする。二酸化チタン（ＴｉＯ２）が、壁を通る光の伝達を減少させるために、食品用ポリプロピレンの層内、およびリグラインド層内に組み込まれている。二酸化チタンは、それが存在する各層に白色を付与する。
【０００６】
二酸化チタンは、レトルトおよび滅菌包装技術の両方で使用されることができる不活性材料である。二酸化チタンは、反射性の材料である、すなわち、この二酸化チタンは、製品の内容物から離して光を反射させることによって機能する。二酸化チタンは、約５００ナノメートルを超える波長を有する光を効果的に反射するが、ビンの壁面が、かなり多量の二酸化チタンを含む場合、５００ナノメートル未満の波長を有する光がいくらか反射されることが見出された。しかし、米国特許第５７５０２２６号で議論されるように、高濃度の二酸化チタンは、プラスチック容器の製造で重大な問題を生じさせることがある。また、比較的薄い容器壁面に高い二酸化チタン濃度を達成することが困難であることがある。
【発明の開示】
【発明が解決しようとする課題】
【０００７】
したがって、低酸性の液体栄養製品を包装するための改良されたプラスチック容器および方法の必要性がある。本発明の主な目的は、この必要性に対処することである。
【０００８】
本発明の別の目的は、顕著な恒久的な変形なしで、約１２０℃〜１３０℃（２４８°Ｆ〜２６６°Ｆ）の温度でのレトルトプロセス熱滅菌に耐えることが可能である容器を提供することである。
【０００９】
本発明の別の目的は、低酸性の栄養製品のための容器の遮光特性を強化するための材料を提供することである。
【００１０】
本発明の別の目的は、コスト、プロセスの変動性、および工具の摩耗を減少させるために、容器に必要とされる二酸化チタンの重量パーセントを減少させるが、なお容器の遮光特性を維持または強化することである。
【００１１】
本発明の別の目的は、美観的に快適であると同時に、自動包装装置および消費者が取り扱うのが容易である容器を提供することである。
【課題を解決するための手段】
【００１２】
本発明は、一般にレトルト容器の分野に関し、より具体的には光感受性の低酸性栄養製品の包装で使用するためのプラスチック容器に関する。
【００１３】
本発明の第１の態様は、容器が、内側層、外側層、および内側層と外側層との間に配置されたリグラインド層を含む、遮光性の多層材料で構成されることができることである。リグラインド層、および内側層と外側層のうちの少なくとも１つは、二酸化チタンおよび酸化鉄を含む。任意に、酸素遮蔽層および接着層が必要に応じて含まれてもよい。
【００１４】
本発明の第２の態様は、容器が、レトルトプロセスに耐えることを可能にする側壁および底壁構成で形成される。側壁は、上側部分、中間部分、および下側部分を含む。上側部分は、凸状のドーム形状を有し、中間部分は、容器を把持することをより容易にするための把持溝を備え、下側部分は、対応する複数の長手方向のビームによって分離された複数の鉛直方向に細長いほぼ矩形のくぼみによって画定されたパネル構造体を含む。任意に、くぼみは、中央に配置された隆起した島部をその中に備えることができる。底壁は、レトルトプロセスに耐える容器の能力にさらに貢献する、中央に配置された一次および二次リセスを含むことができる。
【００１５】
本発明の第３の態様は、低酸性の液体栄養製品を包装する新規な方法の提供をすることである。この方法は、本明細書で記載されるような容器を形成するステップと、容器の終端部と密封して対合するためのキャップを提供するステップと、容器およびキャップを滅菌するステップと、低酸性の液体栄養製品で容器を充填するステップと、充填された容器をキャップで密封するステップと、その後レトルトプロセスで密封された容器を加熱滅菌するステップとを含む。
【００１６】
本発明の第４の態様は、光感受性の栄養製品を保護する新規な方法の提供をすることである。この方法は、それぞれが二酸化チタンおよび酸化鉄の両方を含む複数の溶融可能なカラーペレットを、ベース材料と混合するステップと、カラーペレットおよびベース材料を加熱するステップと、光感受性の液体栄養製品を保持するように構成された容器の層を形成するために、加熱および混合されたカラーペレットおよびベース材料を成形するステップとを含む。
【００１７】
これらおよびその他の目的は、以下の図面、説明、および特許請求の範囲を読めば当業者なら明らかになるであろう。
【発明を実施するための最良の形態】
【００１８】
本発明の容器またはビンが、図中で一般に符号１０によって示されている。容器１０は、そのＲｏｓｓ  Ｐｒｏｄｕｃｔ  Ｄｉｖｉｓｉｏｎを通じてＡｂｂｏｔｔ  Ｌａｂｏｒａｔｏｒｉｅｓによって製造販売されている製品などの、医療および小児用栄養製品の包装および冷凍または非冷凍保管での使用に特に適している。容器１０の遮光特性は、本明細書で詳細に説明するように、このような製品の栄養内容物たとえばビタミン内容物のための保護を強化する。しかし、本発明の容器１０は、本発明の範囲から逸脱することなく、包装（レトルトまたはその他の方法によって）および他の光感受性製品の保管に使用されることができることを理解されたい。
【００１９】
図１〜図５に示されている半剛性の容器１０は、多層の壁材料１２から構成された中空の本体を有する。図６Ａで最もよくわかるように、壁材料は、外側層１４と、内側層１６と、外側層１４と内側層１６との間に配置されたリグラインド層１８とを有する。容器１０が食品製品を中に入れるように構成されている本発明の実施形態では、外側層１４および内側層１６は、プラスチック、好ましくは熱硬化性食品用プラスチックで構成されることができることを当業者ならわかるであろう。より具体的には、層１４、１６は、ポリプロピレンを含むランダムコポリマーで好ましくは構成される。
【００２０】
外側層１４および内側層１６を同一の材料で構成することが好ましいが、必ずしも必要ではない。多くの食品用プラスチック材料で十分であるが、内側および外側層のための基本すなわち一次材料は、最も好ましくは、ＰＰ−９１２２の商標名の下でアメリカ合衆国テキサス州ヒューストンのＥｘｘｏｎＭｏｂｉｌ  Ｃｈｅｍｉｃａｌ  Ｃｏｍｐａｎｙから市販されている、エチレンポリプロピレンランダムコポリマーである。ＥｘｘｏｎＭｏｂｉｌ  ＰＰ−９１２２材料（以下ＰＰ）は、好ましくは実質的に一様な化学組成の複数の溶融性樹脂ペレットの形態で販売されている。
【００２１】
実質的に一様な化学組成の複数の溶融性樹脂着色剤ペレットが、外側および／または内側層１４、１６を形成するために、一次ＰＰ材料とともに混合、溶融、および成形される。着色剤ペレットは、ＦＥＲＲＯ  ＣＨ  ０１０７４２ＦＬＢの商標名の下で、アメリカ合衆国オハイオ州インデペンデンスのＦｅｒｒｏ  Ｃｏｒｐｏｒａｔｉｏｎによって製造されている。着色剤ペレットは、共通のペレット、すなわち同一ペレット内に二酸化チタン（ＴｉＯ２）および酸化鉄（ＦｅＯ２）の両方を含む。着色剤ペレット全体が、実質的に白色または極めて明るい灰色の色相を有するように、二酸化チタンが、着色剤ペレットに白色の色相を与え、酸化鉄が、わずかな量の黒色の色相を追加する。
【００２２】
このようにして、本発明の例示的な実施形態の外側層１４および／または内側層１６は、二酸化チタンおよび酸化鉄などの遮光性の添加物を含んでもよい。外側層１４の二酸化チタンおよび酸化鉄の存在は、美観的に快適である実質的に白色を外側層に付与し、これによって多層材料１２を消費者用製品のための容器の製造で有用にする。同様に、内側層１６の二酸化チタンおよび酸化鉄の存在は、実質的に白色または灰色がかった色を内側層１６に付与する。多層材料１２が、食品製品の包装で使用されるとき、パッケージの内部に美観的に快適である外見を与えるために、実質的に白色の内壁を設けることが望ましいことがある。すなわち、顧客が、パッケージの内部を覗き込むとき、顧客は、パッケージ内に入れられた製品を取り囲む薄い灰色の内壁を見る。多層材料は、リグラインド層１８と内側層１６と外側層１４の一方との間に配置された、黒い顔料の化合物樹脂の内層が無い。このことは、材料の複雑性とコストを低減させる。
【００２３】
もちろん、外側層１４および内側層１６の厚さはそれぞれ、対応する必要がある包装に応じて様々であってよい。しかし、連邦規則コードは、内側層１６は、容器１０が食品製品を入れるために使用されるとき、約０．００２インチ（０．０５０８ｍｍ）の最小厚を有することを要求している。本発明の例示的な実施形態では、内側層１６は、約０．００２インチ（０．０５０８ｍｍ）の最小厚を有する一方、外側層１４は、約０．００２インチ（０．０５０８ｍｍ）の最小厚を有する。
【００２４】
リグラインド層１８は、様々な材料から製造されてもよい。たとえば、リグラインド層１８の約６０重量パーセント（６０％）までが、本例の容器１０を形成するために使用されるボトルブロー作業のトリム屑からリグラインドされた材料から構成されてもよい。リグラインド層のバランスは、任意に、スクラバ、ろ過または浄化剤として使用される、ＥＶＡＬＣＡ  ＧＦ―２０の３重量パーセント（３％）までの、一次ＰＰ材料を含んでもよい。
【００２５】
もちろん、リグラインド材料１８は、リグラインド材料によって与えられる二酸化チタンおよび酸化鉄着色剤を含む。上記で説明した着色剤ペレットは、また、リグラインド層１８内の望ましい平衡着色剤レベルを維持するための必要に応じて、リグラインドに追加される一次ＰＰ材料に追加されてもよい。着色剤ペレットが、ＴｉＯ２およびＦｅＯ２それぞれの別個のペレットではなく、二酸化チタンおよび酸化鉄着色剤の両方を、比較的固定された量または比率で含み、１つの着色剤ペレットのみが使用されるため、所望の定常状態の平衡レベルを達成するために、リグラインド層１８に追加するための着色剤の量は、計算するのがより容易である。内側層および外側層の混合プロセス、およびその結果としての色は、１つの要素しか可変でないため、制御がより容易である。予期されない結果は、容器１０で使用される研磨性の二酸化チタンの総量が、５重量パーセント（５％）未満に、より好ましくは約３．５％まで実際に減少されることができることである。
【００２６】
この例示的な実施形態ではまた、リグラインド層１８は、約０．００７インチ（０．１７７８ｍｍ）の最小厚を有する。容器１０の全体の最小厚は、約０．０１５インチ（０．３８１ｍｍ）である。本発明の範囲から逸脱することなく、他の壁厚が可能であることを当業者なら理解されよう。
【００２７】
多層壁材料１２は、図６Ｂに示すような、酸素遮蔽層２４を任意に含んでもよい。酸素遮蔽層２４は、たとえばエチレンビニルアルコール（ＥＶＯＨ）およびナイロンなどの、酸素遮蔽特性を提供するとして知られている様々な材料で構成されてもよい。本発明の一実施形態では、酸素遮蔽層２４は、エチレンビニルアルコールＥＶＯＨコポリマー樹脂で構成されている。ＥＶＯＨ樹脂は、好ましくは、日本のクラレ株式会社の子会社である米国のＥＶＡＬ  Ｃｏｍｐａｎｙ（ＥＶＡＬＣＡ）市販されている、ＥＶＡＬＣＡ  ＥＶＡＬ  ＬＣ  Ｆ１０１−ＡＺである。遮蔽層は、好ましくは、０．０００５インチ（０．０１２７ｍｍ）の最小連続厚さを有する。しかし、酸素遮蔽層２４の厚さは、本発明の範囲から逸脱することなく変更することができることを理解できよう。たとえば、酸素遮蔽層２４は、約０．０００２インチ〜０．００２インチ（０．００５０８ｍｍ〜０．０５０８ｍｍ）の厚さを有することができる。
【００２８】
図６Ｂに示した実施形態では、外側層１４の内部表面は、第１の接着層２０を用いて酸素遮蔽層２４に接合されている。リグラインド層１８の外部表面は、第２の接着層２２を用いて酸素遮蔽層２４の反対側面に接合されている。すなわち、酸素遮蔽層２４は、外側層１４とリグラインド層１８との間に配置されている。酸素遮蔽層２４をこの位置に配置することは、酸素遮蔽層２４を、それを無効にする湿気から保護する。また、酸素遮蔽層２４をこの位置に配置することは、接着層２０、２２を容器１０の内容物からより遠ざける。接着層２０、２２を容器１０の内容物からより遠くに配置することは、接着剤と内容物との間の相互作用が、容器１０の内容物にとって有害である場合に望ましいことが理解されよう。酸素遮蔽層２４が、内側層１６、リグラインド層１８、および外側層１４に対して他の位置を有することができることを当業者なら認識されよう。
【００２９】
第１の接着層２０および第２の接着層２２は、多層の壁材料１２内に含まれるタイプの接合材料で有用であると知られている、様々な知られている接着材料で構成されることができる。たとえば、第１の接着層２０および第２の接着層２２は、たとえば約０．０００１インチ（０．００２５４ｍｍ）の最小厚を有するポリオレフィン層などの、ポリオレフィンから構成されることができる。好ましい実施形態では、第１および第２の接着層は、アメリカ合衆国ニューヨーク州パーチェスのＭｉｔｓｕｉ  Ｃｈｅｍｉｃａｌｓ  Ａｍｅｒｉｃａ，Ｉｎｃ．から溶融可能ペレット形態で市販されている、ＭＩＴＳＵＩ  ＡＤＭＥＲ  ＱＢ−５２０Ａで構成されている。外側、内側、およびリグラインド層の厚さの最小値は、上記で述べたようであり、約０．０１５インチ（０．３８１ｍｍ）の容器１０に対する最小の全体壁厚は、図６Ｂに示した実施形態でさらに好ましい。この実施形態の容器１０は、約８オンスの低酸性栄養製品を中に入れるのに適しており、実質的に恒久的な変形なしで、従来のレトルトプロセスで、１３０℃（２６６°Ｆ）までの熱滅菌に耐えることが見出された。
【００３０】
本発明の容器１０は、従来の方式で同時押出しブロー成形され、層のための材料は、上記で説明したようなリグラインドまたはペレット形態で提供され、混合、加熱され、マルチステーションブローホイール成形機の適切な押出し通路へ送られる。成形後、容器は、ねじ付きのキャップまたは蓋による密封のための必要な終端部２６を提供するために、余分な材料またはバリを取られ、および仕上げられる。キャップは、本明細書では図示されていないが、参照によって本明細書に組み込まれるＧｅｒｍａｎ他の米国特許第６２７６５４３号に開示されている。
【００３１】
本発明は、独特であり、従来の方法に対して有利である、低酸性の液体栄養製品を包装する方法を提供する。この方法は、以下で説明する構造特徴を備える容器１０を形成するステップと、容器の終端部と密封して対合するように構成されたキャップを提供するステップと、容器およびキャップを滅菌するステップと、低酸性の液体栄養製品で容器を充填するステップと、充填された容器の開いた上部をキャップで密封するステップと、レトルトプロセスで密封された容器を熱滅菌するステップとを含む。たとえばＡｂｂｏｔｔ  ＬａｂｏｒａｔｏｒｉｅｓのＲｏｓｓ  Ｐｒｏｄｕｃｔｓ  Ｄｉｖｉｓｉｏｎによって製造された、８液体オンス（２３７ｍｌ）のＥＮＳＵＲＥ（登録商標）液体栄養製品を充填された容器１０の場合、レトルトプロセスは、以下のように行われる。充填および密封された容器が、室温から約１２６℃（２６０°Ｆ）の滅菌温度へ約１３分間加熱される。滅菌温度は、約６分間保持される。滞在時間の終わりでのピーク圧力は、約２．４８バール（３６ｐｓｉｇ）である。滞在後、約２０分間の冷却時間がある。有利には、レトルトプロセスは、少なくとも１２０℃（２４８°Ｆ）、より有利には約１３０℃（２６６°Ｆ）、最も好ましくは１２６．１℃から１２７．２℃（２５９°Ｆ〜２６２°Ｆ）の温度で行われることができる。本方法は、単層の材料または多層材料、および上記で説明した共押出しブロー成形プロセスを使用することができる。
【００３２】
図１〜図５を参照すると、本発明の容器１０は、底壁２８、および開いた上部３２を画定するために底壁２８と接合された、好ましくは実質的に一様な厚さの側壁３０を有する。側壁３０は、上側部分３４、中間部分３６、および下側部分３８を有する。上側部分３４は、凸状のドーム形状を有し、首部のその上端部およびボトル終端部２６を終端とする。中間部分３６は、使用者が、容器１０を片手の親指と人差し指または中指で容易に把持することを可能にする、円弧状の環状の把持溝４０を画定している。約０．３インチから０．５インチ（７．６２ｍｍ〜１２．７ｍｍ）、およびより好ましくは約０．３２８インチ（８．３３ｍｍ）の全半径が、把持溝４０を画定している。大部分の使用者は、使用者のほかの指のいずれかに溝４０を係合させることによっても、容器１０を快適に把持することができる。溝４０はまた、レトルトプロセス中に受ける応力を均一に伝達および／または抵抗する強い構造輪を提供する。
【００３３】
下側部分３８は、実質的に円筒形である上端部および下端部または端部部分４２、４４、およびその間のパネル構造体４６をそれぞれ有する。パネル構造体４６は、対応する複数の長手方向のビーム部材５０によって分離された、複数の鉛直方向に細長いより好ましくは矩形のくぼみ４８を含む。ビーム部材５０それぞれは、実質的に円筒形の上側端部部分４２および下側端部部分４４と滑らかに融合する、円弧状の、より好ましくは円形の横方向断面を有する。図示した好ましい実施形態では、６個の同一の対向するビーム部材５０によって分離された、６個の同一の対向するくぼみ４８がある。
【００３４】
くぼみ４８それぞれは、その中に隆起した島部を有する。好ましくは、島部は、くぼみ４８の周縁内の中央に配置され、実質的に矩形の底部を有する。島部５２Ａ、５２Ｂ、および５２Ｃは、それらの位置に応じて異なる形状を有する。１対の対向する島部５２Ａは、島部５２Ａの上部で、実質的に矩形の平坦域５８Ａに向かって４辺ピラミッドの方式で内側に傾斜する、同一の反対側の側面５４Ａおよび同一の端部５６Ａを有する。反対側の島部５２Ａの一方は、実質的に平坦なリセス領域５９を有し、このことは、型内のイジェクタピンから残された余分なバリ材料が、容器１０の強度または最も外側の輪郭に悪い影響を及ぼすことなく、研磨されて取り除かれることを可能にする。別の１対の対向する島部５２Ｂは、実質的に矩形の平坦域５８Ｂに向かって内向きに傾斜する、反対側の側面５４Ｂ、５４Ｂ’および鏡像端部５６Ｂ、５６Ｂ’を有する。しかし、側面５４Ｂは、側面５４Ｂ’よりも鋭い角度で内向きに傾斜している。したがって、側面５４Ｂ’は、側面５４Ｂよりも大きな表面積を有する。別の１対の対向する島部５２Ｃは、各島部５２Ｃが隣接する島部５２Ｂと鏡像であるように構成されている。したがって、結果としてのピラミッド構造体５２Ｃは、島部５２Ｂと反対方向に歪曲し、側面５４Ｃ、５４Ｃ’、端部５６Ｃ、５６Ｃ’、および平坦域５８Ｃを有する。くぼみ４８それぞれは、下端部分４４と結合するようにくぼみの底部から鋭角で外向きおよび下向きに延びる傾斜した平面状の表面６０を含む。
【００３５】
図５で最もよく見られるように、容器１０の底壁２８もまた、恒久的な変形に対する抵抗に寄与する形状を有する。底壁の形状は、Ａｂｂｏｔｔ  Ｌａｂｏｒａｔｏｒｉｅｓに譲渡され、その全体において参照によって本明細書に組み込まれる、米国特許第５２６９４３７号に開示されている。好ましい実施形態では、底壁２８は、円形または円錐状の一次リセス６１と、実質的に平坦な楕円形の二次リセス６２とを含み、これらは両方中央に配置されている。二次リセス６２は、長軸および短軸を有する。長軸に沿って二次リセス６２を横切る距離を、短軸に沿って二次リセス６２を横切る距離で割った商は、１よりも大きいが３より大きくはない。実質的に平坦な円形の環状リング６４すなわち載置表面が、リセス６１、６２を包囲している。底壁２８は、二次リセス６２およびリング６４と接合するように、一次リセス６１に沿って上向きおよび内向きに傾斜している。
【００３６】
本発明は、ある例示的な好ましい実施形態に対して本明細書で説明されてきたが、特許請求の範囲で規定された本発明の範囲から逸脱することなく、様々な修正が、多層材料、それから形成される容器、および包装プロセスに行われることができることを当業者なら理解されよう。
【図面の簡単な説明】
【００３７】
【図１】本発明に従って構成されたビンまたは容器の正面立面図である。
【図２】図１の容器の右側立面図である。
【図３】図１の容器の後部立面図である。
【図４】図１の容器の上部平面図である。
【図５】図１の容器の底部平面図である。
【図６Ａ】本発明の一実施形態に従って構成された容器壁材料を示す、図２の線６−６に沿った拡大部分断面図である。
【図６Ｂ】本発明の別の実施形態を示す、図６Ａと同様の拡大部分断面図である。
【図１】
0004644186.tif 000002
【図２】
0004644186.tif 000003
【図３】
0004644186.tif 000004
【図４】
0004644186.tif 000005
【図５】
0004644186.tif 000006
【図６Ａ】
0004644186.tif 000007
【図６Ｂ】
0004644186.tif 000008